(57)【要約】【課題】雌端子が端子収容室に侵入する際の挿入力を低減することができるコネクタを提供する。【解決手段】コネクタ１は、端子金具５と、該端子金具５を収容する端子収容室１２を備えたコネクタハウジング３と、一端２２ａが前記端子収容室１２の一つの内面１２ａに連なりかつ他端２２ｂが自由端であるとともに前記端子金具５の侵入方向Ｘ１の奥側に向かって延びていてかつ前記他端２２ｂが前記端子金具５を係止して前記端子金具５が抜け出ることを規制する係止アーム２２と、前記コネクタハウジング３に装着されると前記端子収容室１２の前記一つの内面１２ａに相対する他の内面１２ｂに連なる傾斜面１０ａを設けた立設壁１０を備えたフロントホルダ４と、を備えたコネクタ１において、前記コネクタハウジング３に前記フロントホルダ４が装着された状態で、前記他端２２ｂが、前記立設壁１０の先端部１０ｂよりも前記侵入方向Ｘ１の前記奥側に位置している。【選択図】図１
2010205675.tif 000002
【特許請求の範囲】
【請求項１】
端子金具と、
該端子金具を収容する端子収容室を備えたコネクタハウジングと、
一端が前記端子収容室の一つの内面に連なりかつ他端が自由端であるとともに前記端子金具の侵入方向の奥側に向かって延びていてかつ前記他端が前記端子金具を係止して前記端子金具が抜け出ることを規制する係止アームと、
前記コネクタハウジングに装着されると前記端子収容室の前記一つの内面に相対する他の内面に連なる傾斜面を設けた立設壁を備えたフロントホルダと、を備えたコネクタにおいて、
前記コネクタハウジングに前記フロントホルダが装着された状態で、前記他端が、前記立設壁の先端部よりも前記侵入方向の前記奥側に位置していることを特徴とするコネクタ。
【請求項２】
前記傾斜面が、前記先端部から前記侵入方向の前記奥側に向かうに従って前記端子収容室の内側に向かって傾斜していることを特徴とする請求項１に記載のコネクタ。
【発明の詳細な説明】
【技術分野】
【０００１】
本発明は、コネクタハウジングにフロントホルダを装着して構成されるコネクタに関する。
【背景技術】
【０００２】
移動体としての自動車には、多種多様な電子機器が搭載される。前記自動車は、前記電子機器に電力や制御信号などを伝えるために、ワイヤハーネスを配策している。ワイヤハーネスは、コネクタと、相手方のコネクタ（図示しない）と嵌合して、ワイヤハーネスを構成する。コネクタは、筒状のコネクタハウジングと、該コネクタハウジングに収容されるとともに電線の端末に取り付けられる端子金具とを備えている。
【０００３】
従来よりコネクタハウジングから端子金具が抜け出ることを防止するとともに、雄型の端子金具（以下雄端子と記す）が侵入する挿入孔を設けたフロントホルダを装着するコネクタ（例えば、特許文献１参照）が用いられている。
【０００４】
図７に示すように、従来のコネクタ１０１は、絶縁性のコネクタハウジング１０３と、絶縁性のフロントホルダ１０４と、後述するコネクタハウジング１０３の係止アーム１２２が係止する凹部１２１を設けた雌型の端子金具（以下雌端子と記す）１０５とを備えている。コネクタタハウジング１０３にフロントホルダ１０４を装着した後、雌端子１０５がコネクタハウジング１０３の後述する端子収容室１１２内に侵入する。端子収容室１１２は図示例では、３つ設けられている。なお、図７においては、図７中上側の端子収容室１１２から図７中上側の端子収容室１１２から離れる方向の他の端子収容室１１２に向かうに従って雌端子１０５が端子収容室１１２に侵入する状態を経時的に示している。
【０００５】
コネクタハウジング１０３は、本体部１０７を備えている。本体部１０７は、底壁１１３と、底壁１１３と間隔をあけて設けられた天井壁１１４と、底壁１１３と天井壁１１４との間に間隔をあけて設けられた隔壁１１５ａ、１１５ｂとで構成されている。
【０００６】
３つ設けられた端子収容室１１２のうち１つの端子収容室１１２は、底壁１１３寄りに配されているとともに、底壁１１３と底壁１１３に近接する隔壁１１５ａとの間に設けられている。２つめの端子収容室１１２は、天井壁１１４寄りに配されているとともに、前記隔壁１１５ｂと天井壁１１４との間に設けられている。そして、前述した底壁１１３寄りに配された端子収容室１１２と、天井壁１１４寄りに配された端子収容室１１２との間に配された３つめの端子収容室１１２は、前記隔壁１１５ａと隔壁１１５ｂとの間に設けられている。そして、３つの端子収容室１１２の前述した底壁１１３寄りには底面１１２ａが配されているとともに、前述した天井壁１１４寄りには天井面１１２ｂが配されている。
【０００７】
また、端子収容室１１２は、係止アーム１２２を設けている。係止アーム１２２は、一端１２２ａが端子収容室１１２の底面１１２ａの内面に連なり、弾性変形していない中立状態で、他端１２２ｂが該一端１２２ａより端子収容室１１２の内側に位置付けられている。そして、係止アーム１２２の他端１２２ｂが前述した雌端子１０５が侵入する方向の奥側に向かって延びているとともに、係止アーム１２２の一端１２２ａから他端１２２ｂに向かうに従って端子収容室１１２の内側（即ち端子収容室１１２の天井面１１２ｂ）に向って傾斜している。
【０００８】
フロントホルダ１０４は、コネクタハウジング１０３の相手方のコネクタに対向する表面に取り付けられる。フロントホルダ１０４は、雄端子（図示しない）が挿入される挿入孔１１９を設けて前記表面に重ねられる平板部１０９と、平板部１０９から立設して設けられているとともに、フロントホルダ１０４がコネクタハウジング１０３に装着されると、その先端部１１０ｂが、前記係止アーム１２２の他端１２２ｂと互いに間隔をあけて配されるとともに、互いに対向して配された立設壁１１０と、を設けている。フロントホルダ１０４がコネクタハウジング１０３に装着されると、立設壁１１０の先端部１１０ｂが、前記係止アーム１２２の他端１２２ｂよりも雌端子１０５の端子収容室１１２の侵入方向の奥側に位置付けられる。即ち、前記係止アーム１２２の他端１２２ｂが、立設壁１１０の先端部１１０ｂよりも、雌端子１０５の端子収容室１１２の侵入方向の手前側に位置付けられる。
【０００９】
前述した従来のコネクタ１０１は、フロントホルダ１０４がコネクタハウジング１０３に装着された状態で、雌端子１０５が端子収容室１１２に侵入すると、係止アーム１２２の他端１２２ｂが雌端子１０５の凹部１２１に係止して、雌端子１０５が端子収容室１１２即ちコネクタハウジング１０３から抜け出ることを防止する。そして、コネクタ１０１は、フロントホルダ１０４の挿入孔１１９から、雄端子を通されて、雌端子１０５と電気的及び機械的に接続する。
【先行技術文献】
【特許文献】
【００１０】
【特許文献１】特開２００１−１９６１２２号公報
【発明の概要】
【発明が解決しようとする課題】
【００１１】
しかしながら、前述した従来のコネクタ１０１においては、端子収容室１１２の係止アーム１２２が、その底面１１２ａから天井面１１２ｂに向って傾斜している。このため、雌端子１０５が端子収容室１１２内に侵入する際には、端子収容室１１２の底面１１２ａに対して雌端子１０５が傾斜することがある。このように、雌金具１０５が傾いた状態で端子収容室１１２内に侵入すると、フロントホルダ１０４の立設壁１１０の先端部１１０ｂが、雌端子１０５の先端部によって押圧される。そのため、雌端子１０５の先端部は、天井面１１２ｂからの抵抗力を受けて僅かに変形しながら端子収容室１１２に侵入される。このように、雌端子１０５を強い力で押圧しなければならないため、雌端子１０５を端子収容室１１２に侵入する際の操作性が悪いうえ、雌端子１０５の先端部などが破損または塑性変形する場合がある。
【００１２】
そこで、本発明は、上記のような問題点に着目し、端子金具が端子収容室に侵入する際の挿入力を低減することができるコネクタを提供することにある。
【課題を解決するための手段】
【００１３】
上記課題を解決するためになされた請求項１記載の発明は、端子金具と、該端子金具を収容する端子収容室を備えたコネクタハウジングと、一端が前記端子収容室の一つの内面に連なりかつ他端が自由端であるとともに前記端子金具の侵入方向の奥側に向かって延びていてかつ前記他端が前記端子金具を係止して前記端子金具が抜け出ることを規制する係止アームと、前記コネクタハウジングに装着されると前記端子収容室の前記一つの内面に相対する他の内面に連なる傾斜面を設けた立設壁を備えたフロントホルダと、を備えたコネクタにおいて、前記コネクタハウジングに前記フロントホルダが装着された状態で、前記他端が、前記立設壁の先端部よりも前記侵入方向の前記奥側に位置していることを特徴としている。
【００１４】
請求項２記載の発明は、前記傾斜面が、前記先端部から前記侵入方向の前記奥側に向かうに従って前記端子収容室の内側に向かって傾斜していることを特徴とする。
【発明の効果】
【００１５】
以上説明したように請求項１に記載の本発明によれば、係止アームの一端が端子収容室の一つの内面に連なっている。係止アームの他端が端子金具の侵入方向の奥側に向かって延びているとともに、係止アームの一端から他端に向うに従って端子収容室の内側（即ち端子収容室の他の内面）に向って傾斜している。そして係止アームの他端は端子金具を係止している。また、係止アームの他端が、立設壁の先端部よりも前記侵入方向の奥側に位置している。このため、係止アームによって端子金具が端子収容室の内側に向って傾斜しても、端子金具の先端部は立設壁の先端部を既に通過しているため、端子金具が立設壁の先端部に引っ掛かることなく端子収容室に侵入することができる。このため、端子金具が、端子収容室に侵入する際の挿入力を低減したコネクタを得ることができる。
【００１６】
請求項２に記載の本発明によれば、立設壁には、端子収容室の内側に向って傾斜した傾斜面が設けられている。この傾斜面が、端子金具を端子収容室の奥側へ誘導するとともに、端子金具を係止アームに近付けて係止することにより、より確実に雌端子が端子収容室から抜け出ることを規制することができる。
【図面の簡単な説明】
【００１７】
【図１】本発明の一実施形態に係るコネクタの断面図である。
【図２】図１に示されたコネクタの組立作業を説明するための説明図であり、端子金具が端子収容室に侵入している様子を示す図である。
【図３】図１に示されたコネクタの組立作業を説明するための説明図であり、端子金具が端子収容室に侵入して、端子金具の先端部がフロントホルダの立設壁の先端部を乗り越える様子を示す図である。
【図４】図１に示されたコネクタの組立作業を説明するための説明図であり、コネクタハウジングにフロントホルダが取り付けられた状態を示す断面図である。
【図５】図１に示されたコネクタの組立作業を説明するための説明図であり、コネクタハウジングにフロントホルダが取り付けられている様子を示す断面図である。
【図６】図１に示されたコネクタのフロントホルダを示す斜視図である。
【図７】従来のコネクタの断面図である。
【発明を実施するための形態】
【００１８】
以下、本発明の一実施形態にかかるコネクタを、図１乃至図６を参照して説明する。コネクタ１は、相手方のコネクタ（図示しない）と嵌合して、自動車などに配策されるワイヤハーネスを構成する。コネクタ１は、コネクタハウジング３と、図６に示すコネクタハウジング３に装着されるフロントホルダ４と、電線６などの導体を介して電気部品と電気的に接続する雌型の端子金具（以下雌端子と呼ぶ）５と、を備えている。
【００１９】
相手方のコネクタは、相手方のコネクタハウジング（図示しない）と、該相手方のコネクタハウジングに収容されるとともに、後述するフロントホルダ４の挿入孔１９から挿入されて、雌端子５と接続する雄型の端子金具（以下雄端子と呼ぶ）（図示しない）と、を備えている。
【００２０】
相手方のコネクタハウジングは、後述するコネクタハウジング３のロック部８に係止するロック受け部（図示しない）を備えている。図４に示すように、相手方のコネクタとコネクタ１が嵌合方向Ｋに沿って互いに近付いて、コネクタ１のロック部８が相手方のコネクタのロック受け部に係止するとともに、相手方のコネクタとコネクタ１とを嵌合させる。
【００２１】
なお、前述した嵌合方向Ｋとは、相手方のコネクタとコネクタ１が嵌合する際に、これらコネクタ１と相手方のコネクタが近付く方向である。即ち、嵌合方向Ｋは、コネクタハウジング３内に収容される雌端子５の長手方向と、該雌端子５が挿入される端子収容室１２の長手方向と、相手方のコネクタハウジング内に位置する雄端子の長手方向と、の全てと平行である。
【００２２】
コネクタ１は、コネクタハウジング３と、嵌合方向Ｋに沿って互いに近付いてコネクタハウジング３に装着されるフロントホルダ４と、電線６などの導体を介して電気部品と電気的に接続する雌端子５（図１乃至図３に示す）と、を備えている。
【００２３】
コネクタハウジング３は、絶縁性の合成樹脂で構成されている。コネクタハウジング３は、本体部７と、相手方のコネクタのロック受け部に係止する可撓性のロック部８と、を備えている。
【００２４】
本体部７は、図４に示すように、底壁１３と、底壁１３と間隔をあけて設けられた天井壁１４と、底壁１３と天井壁１４との間に間隔をあけて設けられた隔壁１５ａ、１５ｂとで構成されている。底壁１３は、天井壁１４と互いに対向して設けられているとともに、底壁１３と、隔壁１５ａ及び隔壁１５ｂとは、互いに対向して設けられている。
【００２５】
本体部７の底壁１３と天井壁１４と隔壁１５ａと隔壁１５ｂには、壁１３、１４、１５ａ、１５ｂそれぞれに後述するスペーサ１７を通す第１開口部７ａが設けられている。第１開口部７ａは、上面視が略矩形状に形成されている。そして、第１開口部７ａは、底壁１３と隔壁１５ａと隔壁１５ｂを貫通している。また、第１開口部７ａは、壁１３、１５ａ、１５ｂを連通しているとともに、天井壁１４をその内面から凹に形成している。第１開口部７ａは、図４に示すように、前述した嵌合方向Ｋに対して直交する方向Ｈに沿って直線状に設けられている。また、第１開口部７ａは、コネクタハウジング３の外側と内側とを連通している。即ち、第１開口部７ａは、端子収容室１２の外側と内側とを連通している。この第１開口部７ａには、後述するスペーサ１７が通される。
【００２６】
本体部７は、前述した雌端子５を収容する端子収容室１２と、前述した第１開口部７ａから挿入されて本体部７即ちコネクタハウジング３に係止するとともに電線６が取り付けられた雌端子５が端子収容室１２から抜け出ることを規制するスペーサ１７と、該スペーサ１７の係止部（図示しない）がスペーサ１７を本体部７即ちコネクタハウジング３に係止する係止受け部（図示しない）と、を備えている。
【００２７】
端子収容室１２は、３つ設けられている。底壁１３寄りに配された端子収容室１２は、底壁１３と底壁１３に近接する隔壁１５ａとの間に設けられている。天井壁１４寄りに配された端子収容室１２は、前記隔壁１５ｂと天井壁１４との間に設けられている。そして、前述した、底壁１３寄りに配された端子収容室１２と、天井壁１４寄りに配された端子収容室１２との間に配された端子収容室１２は、前記隔壁１５ａと隔壁１５ｂとの間に設けられている。そして、端子収容室１２の前述した底壁１３寄りには底面１２ａが配されているとともに、前述した天井壁１４寄りには天井面１２ｂが配されている。なお、前述した底面１２ａは、特許請求の範囲に示された「一つの内面」に相当する。前述した天井面１２ｂは、特許請求の範囲に示された「他の内面」に相当する。
【００２８】
そして、３つの端子収容室１２は、互いに平行に配置されている。３つの端子収容室１２は、前述した方向Ｈに沿って並べられている。端子収容室１２は、本体部７内に設けられかつコネクタ１と相手方のコネクタの嵌合方向Ｋに沿って延びた直線状の空間である。端子収容室１２は、その長手方向の両端部が本体部７即ちコネクタハウジング３の外表面に開口している。端子収容室１２の長手方向の一方の開口は、電線６が取り付けられた雌端子５を通す。端子収容室１２の長手方向の他方の開口には、後述するフロントホルダ４が装着される。
【００２９】
また、端子収容室１２は、係止アーム２２と、撓み空間１６を設けている。係止アーム２２は、一端２２ａが端子収容室１２の底面１２ａの内面に連なり、弾性変形していない中立状態で、他端２２ｂが該一端２２ａより端子収容室１２の内側に位置付けられている。そして、係止アーム２２の他端２２ｂが矢印Ｘ１の奥側に向かって延びているとともに、係止アーム２２の一端２２ａから他端２２ｂに向かうに従って端子収容室１２の内側（即ち端子収容室１２の天井面１２ｂ）に向って傾斜している。
【００３０】
前述した係止アーム２２は、矢印Ｘ１に沿って端子収容室１２内に雌端子５が侵入すると、雌端子５の電線接続部１１によって押圧されて、他端２２ｂが端子収容室１２の外側に向かって後述する撓み空間１６内で弾性変形する。そして、係止アーム２２の他端２２ｂを雌端子５の電線接続部１１が乗り越えると、弾性復元力によって、再び他端２２ｂが端子収容室１２内に位置して（中立状態に復帰して）、該他端２２ｂが雌端子５の電線接続部１１の凹部２１に係止する。こうして係止アーム２２は、端子収容室１２内から雌端子５が抜け出ることを規制する。
【００３１】
なお、前述した矢印Ｘ１は、電線６が取り付けられた雌端子５が、前述した端子収容室１２の長手方向に沿って侵入する方向をなしている。そして、矢印Ｘ１と前述した嵌合方向Ｋとは、互いに平行である。なお、矢印Ｘ１は、特許請求の範囲に示された「侵入方向」に相当する。
【００３２】
撓み空間１６は、端子収容室１２に設けられている。撓み空間１６は、端子収容室１２内の空間の一部であり、係止アーム２２を位置付けている。撓み空間１６では、前述したように雌端子５が端子収容室１２内に侵入する際に、係止アーム２２が一旦弾性変形する。撓み空間１６は、勿論、係止アーム２２が弾性変形する際に位置付けられる空間であり、係止アーム２２が前述したように弾性変形することを許容する空間である。このように、本発明でいう撓み空間１６とは、係止アーム２２を位置付けて、該係止アーム２２が弾性変形することを許容するコネクタハウジング３内に形成された空間である。
【００３３】
スペーサ１７は、図４に示すように、第１開口部７ａを通して方向Ｈに沿って挿入され、かつ、端子収容室１２の内部を塞ぐ格好で電線６を押圧して電線６が端子収容室１２即ちコネクタハウジング３から抜け出ることを規制する。スペーサ１７は、端子収容室１２の内部を塞ぐ箱状のスペーサ本体部２３と、スペーサ１７とコネクタハウジング３の本体部７とを係止する係止部（図示しない）を備えている。
【００３４】
スペーサ本体部２３は、平面形状が第１開口部７ａと同一形状に形成されている。スペーサ本体部２３は、スペーサ１７がコネクタハウジング３に挿入されると端子収容室１２の第１開口部７ａを塞ぐ壁部２４ａ、２４ｂ、２４ｃ、２４ｄと、これら壁部２４ａ、２４ｂ、２４ｃ、２４ｄを互いに連ねる一対の側壁（図示しない）とで構成されている。これら壁部２４ａ、２４ｂ、２４ｃ、２４ｄは互いに間隔をあけて互いに対向して配されている。そして、壁部２４ａは、天井壁１４寄りに配される。壁部２４ｄは、底壁１３寄りに配される。そして、壁部２４ａ、２４ｂ、２４ｃ、２４ｄは、板状に設けられ、かつ、平面形状が矩形状に形成されている。壁部２４ａ、２４ｂ、２４ｃ、２４ｄは、平面形状が互いに同一形状に形成されているとともに、平面形状が第１開口部７ａと同一形状に形成されている。そして、壁部２４ｄは、互いに隣り合う壁部２４ｃから離れた表面から立設した棒状の操作部２４ｅを設けている。操作部２４ｅを用いて、スペーサ１７は方向Ｈに沿って、コネクタハウジング３に挿入される。
【００３５】
係止部は、コネクタハウジング３の本体部７に設けられた係止受け部（図示しない）と互いに係止して、スペーサ１７とコネクタハウジング３とを係止する。
【００３６】
ロック部８は、前述した本体部７の底壁１３と天井壁１４の外表面に一対設けられている。
【００３７】
図６に示すように、フロントホルダ４は、絶縁性の合成樹脂で構成されている。フロントホルダ４は、図１乃至図３に示すように、複数の挿入孔１９と、係止アーム解除用の治具棒挿入孔２０とを設けた平板部９と、平板部９から立設する複数の立設壁１０とを備えている。平板部９は、前述したコネクタハウジング３と、相手方のコネクタハウジングとが互いに相対する表面に重ねられる。平板部９は、平面形状が矩形状に形成されている。平板部９に設けられた挿入孔１９は、それぞれが、端子収容室１２と連通する。即ち、挿入孔１９は、前述した嵌合方向Ｋに沿って、端子収容室１２と並べられる。
【００３８】
治具棒挿入孔２０は、複数設けられている。治具棒挿入孔２０は、前述した挿入孔１９に隣接して設けられているとともに、それぞれが、端子収容室１２と連通する。治具棒挿入孔２０から、棒状の治具棒（図示しない）を挿入して、端子収容室１２内の係止アーム２２の係止を解除する。
【００３９】
立設壁１０は、帯板状に形成されており、平板部９から立設している。立設壁１０は、図示例では３つ設けられている。立設壁１０は、平面形状が矩形状に設けられているとともに、その長手方向が平板部９の長手方向に沿って配されている。そして、立設壁１０は、平板部９の幅方向に沿って互いに間隔をあけて互いに対向して設けられている。立設壁１０は、平板部９がコネクタハウジング３の本体部７の前述した表面に重ねられると、端子収容室１２内に侵入する。立設壁１０は、その先端部１０ｂが端子収容室１２の内面に近付けられると、前述した天井面１２ｂと互いに接触して連なり、かつ、互いに面一に位置付けられる。さらに、立設壁１０は、その先端部１０ｂが端子収容室１２の内面に近付けられると、立設壁１０の先端部１０ｂは係止アーム２２の他端２２ｂよりも、雌端子５の矢印Ｘ１の手前側に位置付けられる。即ちコネクタハウジング３にフロントホルダ４が装着された状態では、係止アーム２２の他端２２ｂが、前述した立設壁１０の先端部１０ｂよりも矢印Ｘ１方向の奥側に位置付けられている（配されている）。
【００４０】
そして立設壁１０は、その先端部１０ｂが端子収容室１２の内面に近付けられると、端子収容室１２の天井面１２ｂに接触して連なる傾斜面１０ａを設けている。そして、傾斜面１０ａは、フロントホルダ４の平板部９がコネクタハウジング３の本体部７の前述した表面に重ねられると、前述した天井面１２ｂに接触して連なるとともに、端子収容室１２の内側（即ち底面１２ａ）に向って緩やかに傾斜している。そして、傾斜面１０ａは、矢印Ｘ１に沿って端子収容室１２内に侵入する雌端子５の電線接続部１１の先端部をフロントホルダ４の平板部９に向って誘導する。
【００４１】
雌端子５は、導電性の板金に打ち抜き加工や曲げ加工などが施されて得られる。雌端子５は、筒状の電線接続部１１を備えて、直線状に延在している。電線接続部１１は、その内側に前述した雄端子が侵入して、該雄端子と雌端子５とを電気的及び機械的に接続する。また、電線接続部１１には、その外表面から凹んで形成された凹部２１が設けられている。凹部２１は、前述した係止アーム２２の他端２２ｂに係止可能に設けられている。雌端子５は、コネクタ１及び相手方のコネクタが嵌合すると、電線接続部１１内に雄端子が侵入して、雌端子５に取り付けられた電線６と雄端子とを電気的に接続する。
【００４２】
続いて、上述したコネクタ１の組立方法を説明する。最初に、フロントホルダ４を端子収容室１２の他方の開口に近付けるとともに、フロントホルダ４の立設壁１０の先端部１０ｂをそれぞれの端子収容室１２の内面に挿入する格好で近付ける。そして、嵌合方向Ｋに沿って、コネクタハウジング３と、フロントホルダ４とを近付けて、フロントホルダ４にコネクタハウジング３を装着する。
【００４３】
次に、雌端子５の電線接続部１１が、電線６の端部の被覆部が露出した芯線を圧着することによって該芯線に接続する。そして、電線６と、雌端子５とを電気的に接続する。そして、電線接続部１１の凹部２１が本体部７の底面１２ａに重なる格好で、雌端子５を端子収容室１２の一方の開口に近付ける。そして、図２に示すように、雌端子５を矢印Ｘ１に沿って端子収容室１２に侵入させる。すると、図３に示すように、立設壁１０の先端部１０ｂは、端子収容室１２の天井面１２ｂの内面と接触して連なっているとともに、互いに面一に配されているため、引っかかることなく侵入する。こうして、図１に示すように、端子収容室１２の係止アーム２２が底面１２ａに向って弾性変形するが、雌端子５はフロントホルダ４の立設壁１０の傾斜面１０ａが端子収容室１２の内側に向って傾斜しているため、雌端子５は天井面１２ｂに向って傾斜することなく、矢印Ｘ１に沿って端子収容室１２の奥側へと侵入する。そして、雌端子５が、フロントホルダ４の立設壁１０の傾斜面１０ａによって、矢印Ｘ１に沿って端子収容室１２のさらに奥側へ誘導されて、係止アーム２２の他端２２ｂが、電線接続部１１の凹部２１に係止する。こうして、電線６が取り付けられた雌端子５が、端子収容室１２に収容される。上述した手順と同様の手順でコネクタ１に設けられた残り２つの端子収容室１２に、電線６が取り付けられた雌端子５を収容する。
【００４４】
次に、スペーサ本体部２３の壁部２４ａを、底壁１３の第１開口部７ａに近付けて、操作部２４ｅを方向Ｈに沿って動かす。そして、スペーサ本体部２３を、コネクタハウジング３の方向Ｈに沿って動かして、各壁部２４ｂ、２４ｃ、２４ｄそれぞれの表面を電線６の外表面に押し付ける。そして、スペーサ１７の係止部が、コネクタハウジング３の本体部７の係止受け部に係止する。こうして、スペーサ１７がコネクタハウジング３に係止する。そして、スペーサ１７は、電線６が取り付けられた雌端子５が、端子収容室１２即ちコネクタハウジング３から抜け出ることを規制する。こうして、コネクタ１が完成する。
【００４５】
上述した実施形態によれば、係止アーム２２の一端２２ａが端子収容室１２の底面１２ａに連なっている。係止アーム２２の他端２２ｂが雌端子５の矢印Ｘ１の奥側に向かって延びているとともに、係止アーム２２の一端２２ａから他端２２ｂに向うに従って端子収容室１２の内側（即ち端子収容室１２の天井面１２ｂ）に向って傾斜している。そして係止アーム２２の他端２２ｂは雌端子５を係止している。また、係止アーム２２の他端２２ｂが、立設壁１０の先端部１０ｂよりも矢印Ｘ１の奥側に位置している。このため、係止アーム２２によって雌端子５が端子収容室１２の内側に向って傾斜しても、雌端子５の先端部は立設壁１０の先端部１０ｂを既に通過しているため、雌端子５が立設壁１０の先端部１０ｂに引っ掛かることなく端子収容室１２に侵入することができる。このため、雌端子５が、端子収容室１２に侵入する際の挿入力を低減したコネクタ１を得ることができる。
【００４６】
また、立設壁１０には、端子収容室１２の内側に向って傾斜した傾斜面１０ａが設けられている。この傾斜面１０ａが、雌端子５を端子収容室１２の奥側へ誘導するとともに、雌端子５を係止アーム２２に近付けて係止することにより、より確実に雌端子５が端子収容室１２から抜け出ることを規制することができる。
【符号の説明】
【００４７】
１  コネクタ
３  コネクタハウジング
４  フロントホルダ
５  雌端子（端子金具）
１０  立設壁
１０ａ  傾斜面
１０ｂ  先端部
１２  端子収容室
１２ａ  底面（一つの内面）
１２ｂ  天井面（他の内面）
２２  係止アーム
２２ａ  一端
２２ｂ  他端
Ｘ１  矢印（侵入方向）
【図１】
2010205675.tif 000003
【図２】
2010205675.tif 000004
【図３】
2010205675.tif 000005
【図４】
2010205675.tif 000006
【図５】
2010205675.tif 000007
【図６】
2010205675.tif 000008
【図７】
2010205675.tif 000009